(57)【特許請求の範囲】
【請求項１】
建物に設備された昇降路の多階床間で乗りかごを昇降運転制御すると共に、外部に設備された保守センタからの保守管理情報を取得する制御手段と、前記乗りかご内に設備されて前記昇降運転制御に供される行き先階を指示操作する操作手段と、前記乗りかご内で前記操作手段に付設されて保守点検時に保守点検認識情報を入力可能であると共に、前記昇降運転制御に供される前記行き先階を指示操作可能な保守点検操作手段と、前記乗りかごに設備されると共に、前記制御手段の指示制御による前記保守点検認識情報の操作入力時のガイドを告示する告示手段と、を備えたエレベータ制御システムであって、
前記保守点検操作手段に付設されて当該保守点検操作手段が操作される状態に至ったことを検出する検出手段を備え、
前記制御手段は、前記保守点検操作手段としてのスイッチボックスのカバーを開いた状態を検出可能な前記検出手段としてのカバースイッチによる当該スイッチボックスの操作状態を確認した時点からの所定時間の猶予で前記告示手段へ乗員による前記操作手段又は外部操作入力手段での前記保守点検認識情報の操作入力をガイドすると共に、当該所定時間を経過して当該操作入力がなければ当該告示手段により警告を行うことを特徴とするエレベータ制御システム。
【請求項２】
請求項１記載のエレベータ制御システムにおいて、前記制御手段は、前記操作入力により前記保守点検認識情報が前記所定時間内に行われたとき、当該保守点検認識情報と前記保守管理情報とを比較した整合性の結果が不一致であるときに前記告示手段により警告を行うことを特徴とするエレベータ制御システム。
【請求項３】
請求項２記載のエレベータ制御システムにおいて、前記保守管理情報は、前記保守センタから前記制御手段へ伝送されて当該制御手段で格納される格納済み暗証番号であり、前記保守点検認識情報は、前記乗りかご内の乗員による前記操作手段の操作で入力されるか、或いは前記スイッチボックスに接続された前記外部操作入力手段としての保守用端末の操作で入力される入力暗証番号であることを特徴とするエレベータ制御システム。
【請求項４】
請求項１〜３の何れか１項記載のエレベータ制御システムにおいて、前記告示手段は、前記保守点検認識情報の操作入力時のガイドを所定のメッセージで表示すると共に、前記警告を所定の警告メッセージで表示する表示手段と、前記所定のメッセージ及び前記所定の警告メッセージを発声する発声手段と、を備えて成ることを特徴とするエレベータ制御システム。
【発明の詳細な説明】
【技術分野】
【０００１】
本発明は、乗りかごの壁に埋設されると共に、制御装置及び保守用端末に接続されるスイッチボックスへの悪戯防止機能を持たせたエレベータ制御システムに関する。
【背景技術】
【０００２】
従来、この種のスイッチボックスへの悪戯防止機能に係る周知技術としては、例えば操作盤の操作盤カバーを取り外して特定階への乗りかごの就役を禁止するための不停止スイッチを開放状態にすると、乗りかご及び乗場の両ドアが全開維持状態となる構成の「不停止スイッチ付エレベーター」（特許文献１参照）が挙げられる。
【先行技術文献】
【特許文献】
【０００３】
【特許文献１】特開２００２−３０９８号公報
【発明の概要】
【発明が解決しようとする課題】
【０００４】
上述した特許文献１に係る技術では、乗りかごに設置された操作盤（保守点検操作手段）の操作盤カバーを開けて、内部にある各種スイッチの不停止スイッチを操作して開放状態にすると、乗りかご及び乗場の両ドアが全開維持状態となって不正な悪戯操作があったことを警報できる機能を有するものであるが、操作盤における内部の不停止スイッチ以外の各種スイッチについても操作することが可能であるため、例えば各種スイッチのうちの基本的に保守点検用に最も解除され難い機能が持たされている保守用スイッチを操作して乗りかごを昇降運転すれば、逃走することが可能であるため、悪戯防止機能としては十分な抑止力を持たないという問題がある。
【０００５】
本発明は、このような問題点を解決すべくなされたもので、その技術的課題は、乗りかご内の保守点検操作手段であるスイッチボックスのカバーを開けての内部に存在する各種スイッチを不正に操作しての悪戯を十分な抑止力で防止し得るエレベータ制御システムを提供することにある。
【課題を解決するための手段】
【０００６】
上記技術的課題を達成するため、本発明は、建物に設備された昇降路の多階床間で乗りかごを昇降運転制御すると共に、外部に設備された保守センタからの保守管理情報を取得する制御手段と、乗りかご内に設備されて昇降運転制御に供される行き先階を指示操作する操作手段と、乗りかご内で操作手段に付設されて保守点検時に保守点検認識情報を入力可能であると共に、昇降運転制御に供される行き先階を指示操作可能な保守点検操作手段と、乗りかごに設備されると共に、制御手段の指示制御による保守点検認識情報の操作入力時のガイドを告示する告示手段と、を備えたエレベータ制御システムであって、保守点検操作手段に付設されて当該保守点検操作手段が操作される状態に至ったことを検出する検出手段を備え、制御手段は、保守点検操作手段としてのスイッチボックスのカバーを開いた状態を検出可能な検出手段としてのカバースイッチによる当該スイッチボックスの操作状態を確認した時点からの所定時間の猶予で告示手段へ乗員による操作手段又は外部操作入力手段での保守点検認識情報の操作入力をガイドすると共に、当該所定時間を経過して当該操作入力がなければ当該告示手段により警告を行うことを特徴とする。
【０００７】
また、上記エレベータ制御システムの第１の実施態様は、制御手段は、操作入力により保守点検認識情報が所定時間内に行われたとき、当該保守点検認識情報と保守管理情報とを比較した整合性の結果が不一致であるときに告示手段により警告を行うことを特徴とする。
【０００８】
更に、上記エレベータ制御システムの第２の実施態様は、保守管理情報は、保守センタから制御手段へ伝送されて当該制御手段で格納される格納済み暗証番号であり、保守点検認識情報は、乗りかご内の乗員による操作手段の操作で入力されるか、或いはスイッチボックスに接続された外部操作入力手段としての保守用端末の操作で入力される入力暗証番号であることを特徴とする。
【０００９】
加えて、上記何れか１つのエレベータ制御システムに係る第３の実施態様は、告示手段は、保守点検認識情報の操作入力時のガイドを所定のメッセージで表示すると共に、警告を所定の警告メッセージで表示する表示手段と、所定のメッセージ及び所定の警告メッセージを発声する発声手段と、を備えて成ることを特徴とする。
【発明の効果】
【００１２】
本発明のエレベータ制御システムによれば、乗りかご内の保守点検操作手段としてのスイッチボックスの開状態（スイッチボックスのカバーを開けた状態）をその検出手段であるカバースイッチの操作状態を確認した時点から制御手段が所定時間の猶予で乗員に対して保守点検認識情報の操作入力を促したにも拘らず、それに従わないときに警告を行うため、スイッチボックスの内部にある各種スイッチを操作することを躊躇させることができ、不正操作による悪戯を十分な抑止力で防止し得る。
【図面の簡単な説明】
【００１３】
【図１】本発明の実施例１に係るエレベータ制御システムの接続系統全体を示す概略構成図である。
【図２】図１に示すエレベータ制御システムに備えられる号機制御装置の号機制御マイコンによる暗証番号更新処理についての動作処理を示したフローチャートである。
【図３】図１に示すエレベータ制御システムに備えられる号機制御装置の号機制御マイコンによるスイッチボックスのカバー開時における暗証番号入力処理についての動作処理を示したフローチャートである。
【発明を実施するための形態】
【００１４】
以下、本発明のエレベータ制御システムについて、図面を参照して詳細に説明する。
【実施例１】
【００１５】
図１は、本発明の実施例１に係るエレベータ制御システムの接続系統全体を示す概略構成図である。
【００１６】
このエレベータ制御システムでは、建物に設備された図示されない昇降路の多階床間で乗りかご６を昇降運転制御する号機制御装置１の内部に号機制御マイコン２が設置され、号機制御マイコン２には、保守用伝送路４を介して外部の保守センタ３が接続されると共に、かご多重伝送路５を介して乗りかご６に設置されたかご端末７及び運転盤端末８が接続され、号機制御マイコン２による各端末の制御が可能となっている。
【００１７】
運転盤端末８には、かご内行き先階釦１２と、保守用スイッチや専用運転スイッチ等の基本的に一般の人が使用できず、保守員やオーナ等の限られた人のみが使用できる各種スイッチを納めて施錠されたスイッチボックス１３と、が接続されている。スイッチボックス１３は、かご内行き先階釦１２の真下に配置されるのが汎用的である。
【００１８】
また、スイッチボックス１３の所定箇所には、スイッチボックス１３のカバーを開くとその状態を検出可能なカバースイッチ１４（スイッチボックス１３の施錠しているキーシリンダを操作したことを検出できれば良い）が設置されている他、保守員により保守用端末（モバイルコンソール）１６を接続するためのコネクタ１５が設けられている。
【００１９】
更に、かご端末７には、かご内の様子を撮影するためのかご内撮影用カメラ９と、エレベータ運行状況であるかご位置を表示するためのかご位置表示装置１０（図１中の表示画面上では只今上昇運転中で２階に位置されている情報を呈示している）と、かご内でアナウンス（音声案内）を行うためのかご内放送用スピーカ１１と、が接続されている。
【００２０】
図２は、号機制御装置１の号機制御マイコン２による暗証番号更新処理についての動作処理を示したフローチャートである。
【００２１】
この暗証番号更新処理は、ＯＳ（オペレーティングシステム）プログラムにより定期的（ここでは１日周期とする）で起動されるもので、最初に保守センタ３から保守用伝送路４を経由して受信した暗証番号データについて、自身の暗証番号入力テーブルにデータが有りか否かを判定（ステップＳ２１）することにより、暗証番号入力テーブルのデータが更新されたか否かを確認する。この判定の結果、データがなければＥＸＩＴとして動作処理を終了する（例えば暗証番号入力テーブルが０の場合には入力なしとみなしてＥＸＩＴとする）が、データが有れば引き続いて暗証番号入力テーブル上のデータと暗証番号格納テーブル上のデータとの値を比較し、格納済暗証番号と一致するか否かを判定（ステップＳ２２）する。この判定の結果、一致すればＥＸＩＴとして動作処理を終了するが、一致しなければ新たな暗証番号の格納要求とみなして、暗証番号入力テーブル上のデータを暗証番号格納テーブルの上のデータに上書きすることにより、格納済み暗証番号を暗証番号入力テーブル上のデータに更新（ステップＳ２３）する処理を行った後、暗証番号入力テーブル上のデータをクリアして暗証番号入力テーブルリセット（ステップＳ２４）の処理を行い、次回の暗証番号更新要求に備えるようにしてからＥＸＩＴとして動作処理を終了する。
【００２２】
図３は、号機制御装置１の号機制御マイコン２によるスイッチボックス１３のカバー開時における暗証番号入力処理についての動作処理を示したフローチャートである。
【００２３】
ここでの暗証番号入力処理についても、ＯＳ（オペレーティングシステム）プログラムにより定期的（ここでは１秒周期とする）に起動されるもので、最初にスイッチボックス１３のカバーが開かれた状態であるかをカバースイッチ１４により検出し、スイッチボックス１３が開き状態であるか否かの判定（ステップＳ３１）を行う。この判定の結果、開かれていなければ（閉状態であれば）、暗証番号入力完了フラグをクリア（ステップＳ３５）する処理を行った後にＥＸＩＴとして動作処理を終了するが、開かれていれば（開状態であれば）、所定時間である１０秒以内に暗証番号入力を促す表示及び放送の実施（ステップＳ３２）を行う。因みに、表示はかご端末７を経由してかご位置表示装置１０に対して所定の操作促進メッセージを表示するもので、放送は同様にかご端末７を経由して放送用スピーカ１１から所定の操作促進メッセージをアナウンスしてガイドするものである。
【００２４】
引き続き、スイッチボックス１３のカバーを開いてからの暗証番号入力可能時限値である１０秒をカウンタＴにセットするＴ＝１０秒セット（ステップＳ３３）の処理を行った後、カウンタＴをダウンカウントするＴ＝Ｔ−１（ステップＳ３４）の処理を行う。ここでは、１秒周期で起動される処理であるため、１秒ずつのダウンカウントが行われることになる。
【００２５】
次に、カウンタＴが０以下となったか否かをＴ≦０であるか否かで判定（ステップＳ３６）し、この判定結果として、カウンタＴが０以下となれば、かご内に警告の表示及び放送（ステップＳ４０）する処理を行い、更にかご内撮影開始（ステップＳ４１）を実行した後、ＥＸＩＴとして動作処理を終了する。因みに、警告の表示はかご端末７を経由してかご位置表示装置１０に対して所定の警告メッセージを表示するもので、警告の放送は同様にかご端末７を経由してかご内放送用スピーカ１１から所定の警告メッセージをアナウンスしてガイドするものであり、かご内撮影はかご内撮影用カメラ９により乗りかご６内の乗員を撮影するものである。
【００２６】
一方、カウンタＴが０より大きければ、引き続いて暗証番号入力完了フラグの状態を確認し、暗証番号入力完了フラグはセット済みであるか否かを判定（ステップＳ３７）し、この判定結果がセット済みでなければ、ＥＸＩＴとして動作処理を終了するが、セット済みであれば、入力暗証番号と格納済み暗証番号とは一致するか否かを判定（ステップＳ３８）する。因みに、ここでの入力暗証番号のデータは、かご内行き先階釦１２において所定の釦操作で入力するか、或いはスイッチボックス１３のコネクタ１５に接続した保守員の持つ保守用端末１６の操作部で入力するものである。
【００２７】
この判定の結果、一致していれば暗証番号入力完了フラグをセット（ステップＳ３９）する処理を行った後にＥＸＩＴとして動作処理を終了するが、不一致であれば上述したかご内に警告の表示及び放送（ステップＳ４０）する処理に移行し、引き続くかご内撮影開始（ステップＳ４１）の処理を経た後、ＥＸＩＴとして動作処理を終了する。
【００２８】
以上に説明した実施例１に係るエレベータ制御システムの技術的概要を換言すれば、号機制御装置１（号機制御マイコン２）は、乗りかご６を昇降運転制御すると共に、外部に設備された保守センタ３からの保守管理情報（格納済み暗証番号）を取得する制御手段として働く。また、かご内行き先階釦１２は、乗りかご６内に設備されて昇降運転制御に供される行き先階を指示操作する操作手段として働き、スイッチボックス１３は、乗りかご６内でかご内行き先階釦１２に付設されて保守点検時に保守点検認識情報（入力暗証番号）を入力可能であると共に、昇降運転制御に供される行き先階を指示操作可能な保守点検操作手段として働く。更に、かご内放送用スピーカ１１及びかご位置表示装置１２は、乗りかご６に設備されると共に、号機制御装置１（号機制御マイコン２）のかご端末７及び運転盤端末８を介在しての指示制御によるスイッチボックス１３における保守点検認識情報の操作入力時のガイドを告示する告示手段として働き、カバースイッチ１４は、スイッチボックス１３に付設されてスイッチボックス１３が開状態で操作される状態に至ったことを検出する検出手段として働く。
【００２９】
そこで、号機制御装置１（号機制御マイコン２）は、カバースイッチ１４によるスイッチボックス１３の操作状態を確認した時点からの所定時間の猶予でかご内放送用スピーカ１１及びかご位置表示装置１２へ乗員によるかご内行き先釦１２又は外部操作入力手段としての保守用端末１６での保守点検認識情報の操作入力をガイドすると共に、所定時間を経過して操作入力がなければかご内放送用スピーカ１１及びかご位置表示装置１２により所定の警告メッセージで警告（悪戯をやめるように促す趣旨のもの）を行う。また、号機制御装置１（号機制御マイコン２）は、係る操作入力により保守点検認識情報が所定時間内に行われたとき、保守点検認識情報と保守管理情報とを比較した整合性の結果が不一致であるときに、同様にかご内放送用スピーカ１１及びかご位置表示装置１２により警告を行うものである。
【００３０】
その他、かご内撮影用カメラ９は、乗りかご６内の乗員を撮影するかご内撮影手段であり、号機制御装置１（号機制御マイコン２）は、かご内放送用スピーカ１１及びかご位置表示装置１２による警告を行った後にかご内撮影用カメラ９による撮影を実行する。
【００３１】
保守管理情報が保守センタ３から号機制御装置１の号機制御マイコン２へ伝送されて号機制御マイコン２で格納される格納済み暗証番号であること、並びに保守点検認識情報が乗りかご２０内の乗員による操作手段の操作で入力されるか、或いはスイッチボックス１３に接続された外部の保守用端末１６の操作で入力される入力暗証番号であることは、上述した通りである。また、上述したかご位置表示装置１２は、入力暗証番号（保守点検認識情報）の操作入力時のガイドを所定のメッセージで表示すると共に、警告を所定の警告メッセージで表示する表示手段とみなすことができ、かご内放送用スピーカ１１は、所定のメッセージ及び所定の警告メッセージを発声する発声手段とみなすことができる。
【００３２】
何れにせよ、実施例１に係るエレベータ制御システムによれば、乗りかご６内の保守点検操作手段（スイッチボックス１３）の開状態（スイッチボックス１３のカバーを開けた状態）をカバースイッチ１４により検出した号機制御装置１（号機制御マイコン２）がかご端末７及び運転盤端末８を経由してかご内行き先階釦１２又はスイッチボックス１３のコネクタ１５に接続した保守用端末１６の操作を要して、所定時間の猶予で乗員に対して保守点検認識情報（入力暗証番号）の入力を促し、それに従わないとき、或いは入力された保守点検認識情報（入力暗証番号）が予め保守センタ３から取得して管理された保守管理情報（格納済暗証番号）との整合性の比較結果で不一致であるときに警告を行い、その後にかご内撮影用カメラ９が乗りかご６内の乗員を撮影する機能が構築される。このため、乗りかご６内の一般の乗員が保守点検操作手段（スイッチボックス１３）の内部にある各種スイッチを操作することを躊躇させることができ、不正操作による悪戯を十分な抑止力で防止することが可能になる。
【符号の説明】
【００３３】
１  号機制御装置
２  号機制御マイコン
３  保守センタ
４  保守用伝送路
５  かご端末用多重伝送路
６  乗りかご
７  かご端末
８  運転盤端末
９  かご内撮影用カメラ
１０  かご位置表示装置
１１  かご内放送用スピーカ
１２  かご内行き先階釦
１３  スイッチボックス
１４  カバースイッチ
１５  コネクタ
１６  保守用端末
【図１】
0005871461.tif 000002
【図２】
0005871461.tif 000003
【図３】
0005871461.tif 000004